(57)【特許請求の範囲】
【請求項１】
主装置と、この主装置に接続された配線と、端末とを有するボタン電話装置に、前記端末とペアをなすようにパーソナルコンピュータを接続させるためのＣＴＩ(computer telephony integration)アダプタにおいて、
前記ＣＴＩアダプタは、前記端末と前記パーソナルコンピュータとが、前記ＣＴＩアダプタを介してのみ、前記配線に接続された状態で、使用されるものであり、
前記ＣＴＩアダプタは、前記主装置との活性化処理によって、前記端末と同じ端末識別子を割り当てられていることを特徴とするＣＴＩアダプタ。
【請求項２】
請求項１に記載のＣＴＩアダプタにおいて、
前記端末が前記ＣＴＩアダプタに送出した前記主装置に向かう上り信号を一旦保存する第１の保存領域と、前記パーソナルコンピュータが前記ＣＴＩアダプタに送出した前記主装置に向かう上り信号を一旦保存する第２の保存領域と、前記第１及び前記第２の保存領域の一方に上り信号があれば、前記割り当てられた端末識別子を基づいて前記上り信号を前記配線に送出し、前記第１及び前記第２の保存領域の両方に上り信号があれば、前記第１及び前記第２の保存領域のうちの優先された保存領域の上り信号を前記割り当てられた端末識別子を基づいて前記配線に送出する上り信号制御部とを有することを特徴とするＣＴＩアダプタ。
【請求項３】
請求項２に記載のＣＴＩアダプタにおいて、
前記上り信号制御部は、前記第１及び前記第２の保存領域の少なくとも一方に保存された上り信号の数が予め定められた容量を超えた場合、オーバーフロー発生と判断し、前記第１及び前記第２の保存領域の上り信号を全て消去し、主装置と端末の状態に違いが発生しないように主装置に対して端末が空き状態であることを示すオンフック信号を送信し、主装置及び端末間の状態が揃う様にすると共に、パーソナルコンピュータに対してはオーバーフロー発生を通知することを特徴とするＣＴＩアダプタ。
【請求項４】
端末と、該端末を制御する主装置とを有するシステムに、前記端末とペアをなすようにパーソナルコンピュータを接続させるための接続装置において、
前記接続装置は、前記端末と前記パーソナルコンピュータとが、前記接続装置を介してのみ、前記主装置に接続された状態で、使用されるものであり、
前記接続装置は、前記主装置との活性化処理によって、前記端末と同じ端末識別子を割り当てられていることを特徴とする接続装置。
【請求項５】
請求項４に記載の接続装置において、
前記接続装置は、前記端末が前記接続装置に送出した前記主装置に向かう上り信号を一旦保存する第１の保存領域と、前記パーソナルコンピュータが前記接続装置に送出した前記主装置に向かう上り信号を一旦保存する第２の保存領域と、前記第１及び前記第２の保存領域の一方に上り信号があれば、前記割り当てられた端末識別子を基づいて前記上り信号を前記主装置に送出し、前記第１及び前記第２の保存領域の両方に上り信号があれば、前記第１及び前記第２の保存領域のうちの優先された保存領域の上り信号を前記割り当てられた端末識別子を基づいて前記主装置に送出する上り信号制御部とを有することを特徴とする接続装置。
【請求項６】
端末と、該端末を制御する主装置とを有するシステムにおいて、
前記端末とペアをなすようにパーソナルコンピュータを前記主装置に接続させるための接続装置を有し、
前記接続装置は、前記端末と前記パーソナルコンピュータとが、前記接続装置を介してのみ、前記主装置に接続された状態で、使用されるものであり、
前記接続装置は、前記主装置との活性化処理によって、前記端末と同じ端末識別子を割り当てられていることを特徴とするシステム。
【請求項７】
請求項６に記載のシステムにおいて、
前記接続装置は、前記端末が前記接続装置に送出した前記主装置に向かう上り信号を一旦保存する第１の保存領域と、前記パーソナルコンピュータが前記接続装置に送出した前記主装置に向かう上り信号を一旦保存する第２の保存領域と、前記第１及び前記第２の保存領域の一方に上り信号があれば、前記割り当てられた端末識別子を基づいて前記上り信号を前記主装置に送出し、前記第１及び前記第２の保存領域の両方に上り信号があれば、前記第１及び前記第２の保存領域のうちの優先された保存領域の上り信号を前記割り当てられた端末識別子を基づいて前記主装置に送出する上り信号制御部とを有することを特徴とするシステム。
【発明の詳細な説明】
【０００１】
【発明の属する技術分野】
本発明は、ボタン電話装置の主装置にパーソナルコンピュータを接続するための接続装置であるＣＴＩ(computer telephony integration)アダプタ及びこの接続装置としてのＣＴＩアダプタを用いたシステム（或いはボタン電話装置）に関する。
【０００２】
【従来の技術】
ボタン電話装置は、電話としての機能（発信、着信、保留等）を制御する主装置と、利用者が直接操作する端末（典型的には、電話機端末）によって構成される。
【０００３】
ボタン電話装置は、通常、１つの主装置に複数の端末を接続した状態で利用される。
【０００４】
主装置と端末を接続する方法として、図５に示すスター接続方式と図６に示すバス接続方式とがある。
【０００５】
スター接続方式は、図５に示すように、複数の端末１２を複数のスター配線１５でそれぞれ主装置１０に接続するものである。
【０００６】
バス接続方式は、図６に示すように、主装置１０に接続された１つのバス配線１１に複数の端末１２を接続するものである。
【０００７】
本発明は、スター接続方式によるボタン電話装置も、バス接続方式によるボタン電話装置も対象とする。
【０００８】
図６のとおり、バス接続方式は、１つのバス配線１１に複数の端末１２が接続されるため、主装置１０と端末１２が音声や制御信号をやりとりするための取り決めが必要となる。
【０００９】
この方式では、複数の端末１２の音声や制御信号が互いに衝突しないように、主装置１０がバス配線１１とやりとりする信号を、バス配線１１に接続可能な端末１２の最大数で分割する。即ち、複数の端末１２は、バス配線１１を時分割で使用する。
【００１０】
バス配線１１で接続された端末１２は、あらかじめ主装置１０から知らされている、そのバス配線１１での自分の番号を表す端未識別子（ＴＥＩ(terminal equipment identifier) ）をもとに自分宛の信号を受け取り、自分からの信号を主装置に送る。
【００１１】
図７は、最大１０台の端末を接続可能なバス配線に接続されている、ＴＥＩ３というＴＥＩ（端未識別子）を割り当てられた端末１２の信号伝送の様子を示している。ＴＥＩ３の端末１２は、主装置と、バス配線上でＴＥＩ３という自分に割り当てられたＴＥＩをもとに信号の送受信を行う。
【００１２】
図５のスター接続方式によるボタン電話装置においても、主装置１０にスター配線１５で接続された端末１２は、あらかじめ主装置１０から知らされている、自分の番号を表す端未識別子（ＴＥＩ）をもとに自分宛の信号を受け取り、自分からの信号を主装置に送る。
【００１３】
図５及び図６において、スター配線１５に接続された端末１２或いはバス配線１１に接続された端末１２は、主装置１０の電源がＯＮとなった時に、またはスター配線１５或いはバス配線１１に接続された時に、自分に割り当てられるＴＥＩを受け取るために、主装置１０と信号のやりとりを行う。
【００１４】
これを活性化といい、端末１２は活性化が完了することによって、はじめて、操作可能になる。
【００１５】
図８を参照すると、通常の活性化手順が示されている。上述したように、活性化は、主装置と端末間の信号の送受信を確立するための手順であり、活性化は、主装置の電源がＯＮとなった場合に、または動作中の主装置に端末を接続した場合に開始される。
【００１６】
図８は、主装置の電源がＯＮとなった場合の活性化手順が例として示されている。即ち、主装置は、電源がＯＮとなった時に、主装置に接続されている端末に対してＴＥＩ（端未識別子）を割り当て付与する。端末はＴＥＩを取得すると、ＴＥＩを受け取ったこと（ＴＥＩ確認）を主装置に返信する。これにより主装置は端末を認識し、活性化が完了し、以降、主装置と端末は信号の送受信を確立することが出来る。
【００１７】
さて、最近のボタン電話機等の通信機器市場では、従来の電話機とコンピュータの機能を統合させた新しいサービスを提供するＣＴＩ(Computer Telephony Integration)機能を搭載した製品が多数発表されている。
【００１８】
従来、このようなＣＴＩ機能を実現するには、パーソナルコンピュータを接続するアダプタを用いていた。このような、パーソナルコンピュータを接続するアダプタは、ボタン電話装置の主装置に端末の一つとして接続され、また、電話機端末とペアで使用される。
【００１９】
【発明が解決しようとする課題】
図６のバス接続方式によるボタン電話装置を例にとると、ボタン電話装置の主装置１０に、パーソナルコンピュータを接続するアダプタを、端末１２として接続する場合、そのアダプタは、従来通りのやり方だと、接続するバス配線１１上でのＴＥＩ（端未識別子）を主装置１０から取得する必要があるのは前述の通りである。
【００２０】
しかし、バス配線１１へ接続可能な端末１２の台数（すなわち、主装置１０に収容可能な端末１２の台数）は、制約上、限りがあり、現状でＴＥＩに空きが無い場合、新規の端末を接続することができない。
【００２１】
パーソナルコンピュータを接続するアダプタは、電話機端末とペアで接続されるため、例えば、電話機端末の一つ一つに当該アダプタを設けようとすると、従来のように当該アダプタがＴＥＩを取得する方式では、主装置１０に収容できる電話機端末の台数が半分になってしまう不都合が発生する。
【００２２】
図５のスター接続方式によるボタン電話装置においても、同様に、主装置１０に収容できる電話機端末の台数は、制約上、限りがあり、従来のようにパーソナルコンピュータを接続するアダプタがＴＥＩを取得する方式では、主装置１０に収容したアダプタの数だけ主装置１０に接続できる電話機端末の台数が減るという不都合がある。
【００２３】
本発明の課題は、ＴＥＩ（端未識別子）に空きが無くても、使用することができ、従って、主装置にパーソナルコンピュータを接続させることができる接続装置であるＣＴＩ(computer telephony integration)アダプタ及びこのＣＴＩアダプタを用いたシステム（例えば、ボタン電話装置）を提供することにある。
【００２４】
本発明のもう一つの課題は、最大接続端末台数を減らさずに、パーソナルコンピュータを接続させ、ＣＴＩ機能を実現するＣＴＩアダプタ及びこのＣＴＩアダプタを用いたシステムを提供することにある。
【００２５】
本発明の別の課題は、互いにペアをなす端末及びパーソナルコンピュータが主装置に送る上り信号を、衝突なく、主装置に送出させることができるＣＴＩアダプタ及びこのＣＴＩアダプタを用いたシステムを提供することにある。
【００２６】
【課題を解決するための手段】
本発明が提供するＣＴＩアダプタ（或いはＣＴＩ装置）は、典型的には、上述のＣＴＩ機能をボタン電話装置で簡易に実施できるようにした接続装置である。このＣＴＩアダプタ（或いはＣＴＩ装置）は、ボタン電話装置の主装置にパーソナルコンピュータを接続するために使用され、また、電話機端末とペアで使用される。
【００２７】
即ち、本発明の第１の態様によれば、主装置と、この主装置に接続された配線と、端末とを有するボタン電話装置に、前記端末とペアをなすようにパーソナルコンピュータを接続させるためのＣＴＩ(computer telephony integration)アダプタにおいて、
前記ＣＴＩアダプタは、前記端末と前記パーソナルコンピュータとが、前記ＣＴＩアダプタを介してのみ、前記配線に接続された状態で、使用されるものであり、
前記ＣＴＩアダプタは、前記主装置との活性化処理によって、前記端末と同じ端末識別子を割り当てられていることを特徴とするＣＴＩアダプタが得られる。
【００２８】
更に、本発明の第２の態様によれば、上記第１の態様によるＣＴＩアダプタにおいて、
前記端末が前記ＣＴＩアダプタに送出した前記主装置に向かう上り信号を一旦保存する第１の保存領域と、前記パーソナルコンピュータが前記ＣＴＩアダプタに送出した前記主装置に向かう上り信号を一旦保存する第２の保存領域と、前記第１及び前記第２の保存領域の一方に上り信号があれば、前記割り当てられた端末識別子を基づいて前記上り信号を前記配線に送出し、前記第１及び前記第２の保存領域の両方に上り信号があれば、前記第１及び前記第２の保存領域のうちの優先された保存領域の上り信号を前記割り当てられた端末識別子を基づいて前記配線に送出する上り信号制御部とを有することを特徴とするＣＴＩアダプタが得られる。
【００２９】
更に、本発明の第３の態様によれば、上記第２の態様によるＣＴＩアダプタにおいて、
前記上り信号制御部は、前記第１及び前記第２の保存領域の少なくとも一方に保存された上り信号の数が予め定められた容量を超えた場合、オーバーフロー発生と判断し、前記第１及び前記第２の保存領域の上り信号を全て消去し、主装置と端末の状態に違いが発生しないように主装置に対して端末が空き状態であることを示すオンフック信号を送信し、主装置及び端末間の状態が揃う様にすると共に、パーソナルコンピュータに対してはオーバーフロー発生を通知することを特徴とするＣＴＩアダプタが得られる。
【００３０】
更に、本発明の第４の態様によれば、端末と、該端末を制御する主装置とを有するシステムに、前記端末とペアをなすようにパーソナルコンピュータを接続させるための接続装置において、
前記接続装置は、前記端末と前記パーソナルコンピュータとが、前記接続装置を介してのみ、前記主装置に接続された状態で、使用されるものであり、
前記接続装置は、前記主装置との活性化処理によって、前記端末と同じ端末識別子を割り当てられていることを特徴とする接続装置が得られる。
【００３１】
更に、本発明の第５の態様によれば、上記第４の態様による接続装置において、
前記接続装置は、前記端末が前記接続装置に送出した前記主装置に向かう上り信号を一旦保存する第１の保存領域と、前記パーソナルコンピュータが前記接続装置に送出した前記主装置に向かう上り信号を一旦保存する第２の保存領域と、前記第１及び前記第２の保存領域の一方に上り信号があれば、前記割り当てられた端末識別子を基づいて前記上り信号を前記主装置に送出し、前記第１及び前記第２の保存領域の両方に上り信号があれば、前記第１及び前記第２の保存領域のうちの優先された保存領域の上り信号を前記割り当てられた端末識別子を基づいて前記主装置に送出する上り信号制御部とを有することを特徴とする接続装置が得られる。
【００３２】
更に、本発明の第６の態様によれば、端末と、該端末を制御する主装置とを有するシステムにおいて、
前記端末とペアをなすようにパーソナルコンピュータを前記主装置に接続させるための接続装置を有し、
前記接続装置は、前記端末と前記パーソナルコンピュータとが、前記接続装置を介してのみ、前記主装置に接続された状態で、使用されるものであり、
前記接続装置は、前記主装置との活性化処理によって、前記端末と同じ端末識別子を割り当てられていることを特徴とするシステムが得られる。
【００３３】
更に、本発明の第７の態様によれば、上記第６の態様によるシステムにおいて、
前記接続装置は、前記端末が前記接続装置に送出した前記主装置に向かう上り信号を一旦保存する第１の保存領域と、前記パーソナルコンピュータが前記接続装置に送出した前記主装置に向かう上り信号を一旦保存する第２の保存領域と、前記第１及び前記第２の保存領域の一方に上り信号があれば、前記割り当てられた端末識別子を基づいて前記上り信号を前記主装置に送出し、前記第１及び前記第２の保存領域の両方に上り信号があれば、前記第１及び前記第２の保存領域のうちの優先された保存領域の上り信号を前記割り当てられた端末識別子を基づいて前記主装置に送出する上り信号制御部とを有することを特徴とするシステムが得られる。
【００３４】
【発明の実施の形態】
次に本発明の実施例について図面を参照して説明する。
【００３５】
図１を参照すると、本発明の一実施例によるＣＴＩアダプタ１３を用いて、主装置１０にバス配線１１を介してパーソナルコンピュータ（パソコンと表示）１４を接続すると共に、本発明の一実施例によるＣＴＩアダプタ１３を用いて、主装置１０にスター配線１５を介してパーソナルコンピュータ１４を接続してなるボタン電話装置が示されている。図示のボタン電話装置では、３つの端末（これら端末は、典型的には、電話機端末である）１２のうちの２つの端末（電話機端末）１２に対してのみ、ＣＴＩアダプタ１３が接続され、設けられているが、残りの端末（電話機端末）１２に対しても、ＣＴＩアダプタ１３と同様なＣＴＩアダプタが設けられても良い。
【００３６】
ＣＴＩアダプタ１３は、主装置１０にパーソナルコンピュータ１４を接続し、簡易なＣＴＩ機能を提供するためのものであって、バス配線１１或いはスター配線１５とパーソナルコンピュータ１４とに接続される。ＣＴＩアダプタ１３は、端末（電話機端末）１２にも接続される。パーソナルコンピュータ１４と端末（電話機端末）１２とはＣＴＩアダプタ１３を介してバス配線１１或いはスター配線１５に接続される。
【００３７】
従来のようにパーソナルコンピュータを接続するアダプタがＴＥＩを取得する方式では、バス接続方式のボタン電話装置の場合、電話機端末の一つ一つにＣＴＩアダプタを設けようとすると、主装置に接続できる電話機端末の台数が従来の半分になってしまう不都合が発生することは、既に述べたとおりである。
【００３８】
このような不都合を解決するため、本発明では、ＣＴＩアダプタ１３のＴＥＩ（端未識別子）をペアの端末（電話機端末）１２と共用するように、活性化を完了させることにより、主装置１０に収容できる最大接続端末台数を減らさずにボタン電話装置にパーソナルコンピュータ１４を接続し、ＣＴＩ機能を実現する。
【００３９】
すなわち、バス配線１１に接続されたＣＴＩアダプタ１３は、ペアとしてＣＴＩアダプタ１３に接続されている端末（電話機端末）１２と同じＴＥＩを受け取るように、主装置１０の電源ＯＮ時に、またはバス配線１１或いはスター配線１５に接続された時に、主装置１０と信号のやりとりを行って、活性化を行い、端末（電話機端末）１２は活性化が完了することによって、操作可能になる。
【００４０】
図２を参照すると、本発明の活性化手順が示されている。上述したように、活性化は、主装置と端末間の信号の送受信を確立するための手順であって、活性化は、主装置の電源がＯＮとなった場合に、または動作中の主装置に端末を接続した場合に開始される。
【００４１】
図２は、主装置の電源がＯＮとなった場合の活性化手順が例として示されている。本発明では、主装置一端末間にＣＴＩアダプタを接続し、主装置からのＴＥＩ付与の下り信号をＣＴＩアダプタで一旦受信した後、下位接続端末に送信し、また下位接続端末からのＴＥＩ確認の上り信号もＣＴＩアダプタで一旦受信し、主装置に送信する。
【００４２】
このように、ＣＴＩアダプタは、主装置からは「端末」として認識され、端末からは「主装置」として認識されるため、ＣＴＩアダブタは自身のＴＥＩを必要とせず端末とＴＥＩを共有化して活性化を完了させることが出来る。
【００４３】
図３を参照すると、図１のＣＴＩアダプタ１３の詳細が示されている。図３において、ＣＴＩアダプタ１３は、活性化を完了した後、主装置１０と端末１２との間および主装置１０とパーソナルコンピュータ１４との間の信号の送受信を制御する。
【００４４】
このとき、主装置１０から送られてくる信号（下り信号）は、ＣＴＩアダプタ１３内の下り信号制御部２０で、端末１２およびパーソナルコンピュータ１４の両方に送出し通知するだけで良いが、端末１２およびパーソナルコンピュータ１４が主装置１０に送る信号（上り信号）については、端末１２およびパーソナルコンピュータ１４の送信のタイミングが各々任意であるため、上り信号をそのままバス配線１１或いはスター配線１５に送出すると、端末１２とパーソナルコンピュータ１４との上り信号がバス配線１１或いはスター配線１５上で衝突し、主装置１０への信号の送出が正常に行われなくなる。
【００４５】
そこで、本発明によるＣＴＩアダプタ１３では、端末１２とパーソナルコンピュータ１４の上り信号に送信優先順位を設定し（例えば、端末１２の上り信号よりもパーソナルコンピュータ１４の上り信号を優先するように、送信優先順位を設定する）、これに基づき上り信号の送信制御を行う上り信号制御部１６を設けている。
【００４６】
具体的には、端末１２及びパーソナルコンピュータ１４の上り信号は、一旦、ＣＴＩアダプタ１３内の保存領域として作用するバッファ１７及び１８に保存する。
【００４７】
なお、破線で示したように、もう一つバッファ１８を設けて、もう一つのパーソナルコンピュータ１４をＣＴＩアダプタ１３に接続するようにしても良い。
【００４８】
図４を参照すると、図３のＣＴＩアダプタ１３の上り信号制御部１６の動作のフローチャートが示されている。
【００４９】
図３に加えて図４も参照して、ＣＴＩアダプタ１３の上り信号制御部１６は、送信信号監視制御部１９からの送信完了通知を受けることによって、前回送出した信号が主装置１０に到着していることを確認した（ステップＳ１）上で、端末１２の上り信号のためのバッファ１７とパーソナルコンピュータ１４の上り信号のためのバッファ１８を検索する（ステップＳ２）。
【００５０】
ステップＳ２においてバッファ検索した結果、どちらか一方のバッファにのみ信号が保存されている場合は、その上り信号をバッファから取り出し（ステップＳ３）、取り出した上り信号を主装置１０に送信する（ステップＳ４）。
【００５１】
ステップＳ２においてバッファ検索した結果、どちらのバッファにも上り信号が格納されている場合は、送信優先順位に基づき、優先順位の高い上り信号をバッファから取り出し（ステップＳ５）、取り出した上り信号を主装置１０に送信する（ステップＳ６）。（優先順位の低い上り信号は優先順位の高い上り信号の送信完了まで待機する）。
【００５２】
ステップＳ２においてバッファ検索したとき、バッファに保存された上り信号の数がバッファの容量を超えた場合、上り信号の送信もれが発生し、主装置１０と接続電話機１２との間で状態の不一致が発生する恐れがある。これを防止するため、バッファ・オーバーフローが発生した場合、上り信号制御部１６は、異常処理として、正常送信が不可能になったバッファの上り信号を破棄し、主装置１０と接続電話機１２の状態を揃える必要がある。
【００５３】
具体的な処理として、ステップＳ２においてバッファ検索したとき、バッファに保存された上り信号の数がバッファの容量を超えた場合（すなわち、バッファ・オーバーフロー発生時に）、上り信号制御部１６は、電話機用バッファ１７とパソコン用バッファ１８の上り信号を全て消去し（ステップＳ７）、主装置１０と電話機１２の状態に違いが発生しないように主装置１０に対して接続電話機１２が空き状態であることを示すオンフック信号を送信し（ステップＳ８）、主装置１０−接続電話機１２間の状態が揃う様にする。また、パンコン１４に対してはバッファ・オーバーフロー発生を通知する（ステップＳ９）。
【００５４】
すなわち、ＣＴＩアダプタ１３の上り信号制御部１６は、当該バッファの内容を消去した（ステップＳ７）上、主装置１０には端末空き状態信号（電話機の受話器を下ろした時に送信する信号）を送信し（ステップＳ８）、パーソナルコンピュータ１４には上り信号のバッファの容量オーバーを送信して（ステップＳ９）通常の上り信号制御に戻る。
【００５５】
【発明の効果】
以上説明したように、本発明によれば、主装置の最大接続端末台数を減らさずに、パーソナルコンピュータを接続させ、ＣＴＩ機能を実現するＣＴＩアダプタ（或いは接続装置）を得ることができる。
【００５６】
更に本発明によれば、主装置のＴＥＩ（端未識別子）に空きが無くても、バス配線或いはスター配線に接続することができ、したがって、主装置にパーソナルコンピュータを接続させることができるＣＴＩアダプタ（或いは接続装置）を得ることができる。
【００５７】
また本発明によれば、互いにペアをなす端末及びパーソナルコンピュータが主装置に送る上り信号を、衝突なく、主装置に送出させることができるＣＴＩアダプタ（或いは接続装置）を得ることができる。
【００５８】
更に本発明によれば、上述のＣＴＩアダプタ（或いは接続装置）を用いたボタン電話装置或いはシステムを得ることができる。
【図面の簡単な説明】
【図１】本発明の一実施例によるＣＴＩアダプタ１３を用いて、主装置１０にパーソナルコンピュータ（パソコン）１４を接続したボタン電話装置を示したブロック図である。
【図２】本発明の活性化手順を示した図である。
【図３】図１のＣＴＩアダプタ１３の詳細を示したブロック図である。
【図４】図３のＣＴＩアダプタ１３の上り信号制御部１６の動作のフローチャートである。
【図５】本発明の対象となるスター接続方式を示したブロック図である。
【図６】本発明の対象となるバス接続方式を示したブロック図である。
【図７】最大１０台の端末を接続可能なバス配線に接続されている、ＴＥＩ３というＴＥＩ（端未識別子）を割り当てられた端末１２の信号伝送の様子を示した図である。
【図８】通常の活性化手順を示した図である。
【符号の説明】
１０    主装置
１１    バス配線
１２    端末（電話機端末）
１３    ＣＴＩアダプタ
１４    パーソナルコンピュータ（パソコン）
１５    スター配線
１６    上り信号制御部
１７    バッファ
１８    バッファ
１９    送信信号監視制御部
２０    下り信号制御部
【図１】
0004012340.tif 000002
【図２】
0004012340.tif 000003
【図３】
0004012340.tif 000004
【図４】
0004012340.tif 000005
【図５】
0004012340.tif 000006
【図６】
0004012340.tif 000007
【図７】
0004012340.tif 000008
【図８】
0004012340.tif 000009